(57)【要約】【課題】  カーナビの地図データに広告を付加して配信する場合において、広告の有効性を高める。【解決手段】  地図データ上に設定された複数の広告設定領域それぞれに対して当該広告設定領域がもたらす広告効果に応じた広告料金を設定する広告料金設定手段と、設定した広告料金に応じて各広告主が広告設定領域に対して依頼した広告を集計して広告データを作成し、当該広告データと地図データとをまとめて配信データを生成する配信データ生成手段と、生成した配信データを複数の情報表示装置に配信するデータ配信手段とを情報配信装置３０に設け、記情報配信装置から配信された配信データを受信するデータ受信手段と、受信した配信データに含まれる地図データを地図画像として表示する地図表示手段と、地図表示手段で表示されている地図画像に含まれる広告設定領域に対し、当該広告設定領域に対する広告を表示する広告表示手段とを情報表示装置１０に設けた。【選択図】        図１
2005301625.tif 000002
【特許請求の範囲】
【請求項１】
複数の情報表示装置と、当該複数の情報表示装置に対して配信データを配信する情報配信装置とを有する情報配信システムであって、
上記情報配信装置は、
地図データ上に設定された複数の広告表示領域それぞれに対して当該広告表示領域がもたらす広告効果に応じた広告料金を設定する広告料金設定手段と、
上記設定した広告料金に応じて各広告主が上記広告表示領域に対して依頼した広告を集計して広告データを作成し、当該広告データと上記地図データとをまとめて上記配信データを生成する配信データ生成手段と、
上記生成した配信データを上記複数の情報表示装置に配信するデータ配信手段と
を具え、
上記情報表示装置は、
上記情報配信装置から配信された上記配信データを受信するデータ受信手段と、
上記受信した配信データに含まれる上記地図データを地図画像として表示する地図表示手段と、
上記地図表示手段で表示されている上記地図画像に含まれる上記広告表示領域に対し、当該広告表示領域に対する上記広告を表示する広告表示手段と
を具えることを特徴とする情報配信システム。
【請求項２】
上記情報表示装置は、当該情報表示装置のユーザによって入力された当該ユーザの趣味嗜好を個人情報として上記情報配信装置に送信する個人情報送信手段を具え、
上記情報配信装置は、上記広告表示領域の近傍の道路における実際の交通量情報を取得する交通量情報取得手段を具え、
上記広告料金設定手段は、上記個人情報及び上記交通量情報の少なくとも一つに基づいて、上記広告表示領域それぞれに対して上位広告効果に応じた上記広告料金を設定する
ことを特徴とする請求項１に記載の情報配信システム。
【請求項３】
複数の情報表示装置で表示される配信データを配信する情報配信装置であって、
地図データ上に設定された複数の広告表示領域それぞれに対して当該広告表示領域がもたらす広告効果に応じた広告料金を設定する広告料金設定手段と、
上記設定した広告料金に応じて各広告主が上記広告表示領域に対して依頼した広告を集計して広告データを作成し、当該広告データと上記地図データとをまとめて上記配信データを生成する配信データ生成手段と、
上記生成した配信データを上記複数の情報表示装置に配信するデータ配信手段と
を具えることを特徴とする情報配信装置。
【請求項４】
上記広告表示領域の近傍の道路における実際の交通量情報を取得する交通量情報取得手段を具え、
上記広告料金設定手段は、上記情報表示装置のユーザによって入力された当該ユーザの趣味嗜好を個人情報として当該情報表示装置から取得し、
上記広告料金設定手段は、上記個人情報及び上記交通量情報の少なくとも一つに基づいて、上記広告表示領域それぞれに対して上位広告効果に応じた上記広告料金を設定する
ことを特徴とする請求項３に記載の情報配信装置。
【発明の詳細な説明】
【技術分野】
【０００１】
本発明は情報配信システム及び情報配信装置に関し、例えば車両に設けられたカーナビゲーション装置に地図データを配信して表示する用途に適用して好適なものである。
【背景技術】
【０００２】
従来カーナビゲーション装置においては、ＣＤ−ＲＯＭ（Compact Disk-Read Only Memory）やＤＶＤ（Digital Versatile Disk）等の記録媒体に地図データや道路情報等が格納されたカーナビゲーションソフトウェア（以下、カーナビソフトと呼ぶ）を用いて地図表示や経路探索等を行っている。そして、新たな道路や施設の建設等によって地理的状況に変化が生じた場合、当該変化を反映した改訂版のカーナビソフトが発売される。
【０００３】
このためユーザは、最新の情報に基づいてカーナビゲーションを行おうとすると、カーナビソフトが改訂される度にこれを購入する必要がある。ところがカーナビソフトの制作には多大なコストが必要であり、従って当該カーナビソフトの価格も当該コストを反映して高価にならざるを得ず、このためユーザに多大な出費を強いてしまうという問題がある。
【０００４】
このような問題を解決するため、カーナビゲーションの地図画面上に広告を表示するようにし、当該広告に対して広告主から支払われる広告料金をカーナビソフトの制作費に充当することにより、カーナビソフトの低価格化あるは無料化を図ることが提案されている（例えば、特許文献１参照）。
【特許文献１】特開２００２−１０８２０３公報
【発明の開示】
【発明が解決しようとする課題】
【０００５】
このような広告を表示するカーナビソフトでは、地図上の任意地点に広告表示位置を設定しておく。そして、カーナビゲーション装置を搭載した車両が広告表示位置の近傍を通過すると、当該広告表示位置に広告が表示されてユーザに閲覧される。広告主は広告が閲覧されることによって広告効果を得、この広告効果に対する対価として広告料金を支払うようになされている。ところが実際上、カーナビゲーション装置を搭載した車両が上述した広告表示位置の近傍を通過するとは限らず、このため広告主は期待した広告効果を得られないことがあるという問題があった。
【０００６】
本発明は以上の点を考慮してなされたもので、有効な広告の配信を行い得る情報配信システム及び情報配信装置を提案しようとするものである。
【課題を解決するための手段】
【０００７】
かかる課題を解決するためにおいては、複数の情報表示装置と、当該複数の情報表示装置に対して配信データを配信する情報配信装置とを有する情報配信システムにおいて、地図データ上に設定された複数の広告設定領域それぞれに対して当該広告設定領域がもたらす広告効果に応じた広告料金を設定する広告料金設定手段と、設定した広告料金に応じて各広告主が広告設定領域に対して依頼した広告を集計して広告データを作成し、当該広告データと地図データとをまとめて配信データを生成する配信データ生成手段と、生成した配信データを複数の情報表示装置に配信するデータ配信手段とを情報配信装置に設け、記情報配信装置から配信された配信データを受信するデータ受信手段と、受信した配信データに含まれる地図データを地図画像として表示する地図表示手段と、地図表示手段で表示されている地図画像に含まれる広告設定領域に対し、当該広告設定領域に対する広告を表示する広告表示手段とを情報表示装置に設けた。
【０００８】
さらに、広告設定領域の近傍の道路における実際の交通量情報を取得する交通量情報取得手段を情報配信装置に設け、広告料金設定手段は、情報表示装置のユーザによって入力された当該ユーザの趣味嗜好を個人情報として当該情報表示装置から取得し、広告料金設定手段は、個人情報及び交通量情報の少なくとも一つに基づいて広告設定領域それぞれに対して広告効果に応じた広告料金を設定するようにした。
【０００９】
これにより、交通量情報や個人情報に基づいて想定される広告効果を反映させた広告料金を設定して広告主に提示できるとともに、広告主は広告料金に見合う広告効果があると思われる広告表示領域に対して広告を依頼することができる。
【発明の効果】
【００１０】
本発明によれば、地図上の広告表示領域に対して実際の交通量やユーザの趣味嗜好を反映させた広告料金を設定して、地図画像上において有効な広告の配信を行い得る情報配信システム及び情報配信装置を実現できる。
【発明を実施するための最良の形態】
【００１１】
以下図面について、本発明の一実施の形態を詳述する。
【００１２】
（１）カーナビゲーション広告システムの構成
図１において、１は全体として本発明の一実施の形態のカーナビゲーション広告システムを示し、当該カーナビゲーション広告システムを事業として実施するシステム事業者２、複数の広告主３及びユーザ４、並びに交通量調査業者５で構成される。
【００１３】
システム事業者２はソフト開発業者でもあり、カーナビソフトを開発してユーザ４に配信する。一方広告主３は、ソフト開発業者２が開発したカーナビソフトに対する広告掲載を依頼するとともに広告料金を支払う。ユーザ４は、ソフト開発業者２が配信するカーナビソフトを情報表示装置としてのカーナビゲーション装置１０で使用してカーナビゲーションを行い、その際に広告主３が掲載した広告を閲覧する。
【００１４】
広告主３はユーザ４がカーナビゲーション画面上で広告を閲覧することによって広告効果を得る。一方ソフト開発業者２は、広告主３から得た広告料金をカーナビソフトの開発費に充当する。これによりカーナビゲーション広告システム１では、ソフト開発業者２はユーザ４に対してカーナビソフトを安価あるいは無料で配信することができる。
【００１５】
これに加えて交通量調査業者５は、カーナビゲーション画面上で表示される広告の表示領域（これを看板と呼ぶ）における実際の交通量を調査し、この調査結果を交通量情報としてシステム事業者２に提供する。また各ユーザ４は、後述する個人情報をカーナビゲーション装置１０を介してシステム事業者に登録する。
【００１６】
システム事業者２は、この交通量情報や個人情報等でなる広告条件に基づいて各広告に対する広告料金を設定し、当該広告料金及び広告条件を広告主３に提示する。広告主３は、システム事業者２から提示された各広告条件と広告料金とを勘案し、広告料金に見合う広告効果があると判断した看板に対して広告掲載を依頼する。
【００１７】
これによりカーナビゲーション広告システム１では、広告主３は広告効果の高い広告を行うことができ、システム事業者２は広告効果に応じた広告料金を得ることができ、ユーザは安価又は無料でカーナビソフトを得ることができる。
【００１８】
（２）カーナビゲーション装置の構成
図２は、カーナビゲーション広告システム１においてユーザ４が使用するカーナビゲーション装置１０を示し、当該カーナビゲーション装置１０全体を統括的に制御するＣＰＵ（Central Processing Unit）１１に対し、バス１２を介してＲＯＭ（Read Only memory）１３、ＲＡＭ（Central Processing Unit）１４、操作部１５、表示部１６、例えばハードディスクドライブでなる記憶部１７、ＧＰＳ（Global Positioning System）部１８及び通信部１９が接続されている。そして、カーナビゲーション装置１０の起動時においてＣＰＵ１１がＲＯＭ１３に記憶された各種プログラムを読み出しＲＡＭ１４上で実行することにより種々のカーナビゲーション機能を実現する。
【００１９】
通信部１９は、アンテナ２０及び図示しない基地局や公衆回線等を介してシステム事業者２の配信サーバ２０（図１）と接続してカーナビソフトの配信を受け、当該カーナビソフトを記憶部１７に格納する。このカーナビソフトは最新の地図データ及び広告主３（図１）による広告データでなる。
【００２０】
またＣＰＵ１１は、ユーザによって入力された個人情報を記憶部１７に記憶するとともに、通信部１９を介してシステム事業者２の配信サーバ２０に送信する。
【００２１】
一方ＧＰＳ部１８は、ＧＰＳアンテナ２０を介して受信した複数のＧＰＳ電波をそれぞれ復調してＧＰＳ信号を生成し、当該ＧＰＳ信号に基づいて測位した現在位置情報をＣＰＵ１１に供給する。ＣＰＵ１１は、当該現在位置情報が示す現在位置を中心とした所定縮尺範囲の地図データを記憶部１７から読み出し、当該地図データに基づいてカーナビ画像データを生成し表示部１６に供給する。表示部１６は例えばＬＣＤ（Liquid Crystal Display）でなり、ＣＰＵ１１から供給されたカーナビ画像データに基づくカーナビ画像を表示する。
【００２２】
図３はカーナビ画像１００の例を示し、現在位置を中心とした進行方向の道路が３次元表示されているとともに、別途指定されたルートガイドに基づくガイド矢印２００が適宜表示される。
【００２３】
これに加えてカーナビ画像１００には、システム事業者２が設定した看板設置位置に応じた看板３００が表示される。そしてこの看板３００には、広告主３がシステム事業者２に掲載を依頼した広告が表示され、これによりあたかも実際の広告看板がカーナビ画像１００内に存在するかのような強い視覚的効果をユーザ４に与えることができる。
【００２４】
（３）配信サーバの構成
一方図４は、システム事業者２が運用する情報配信装置としての配信サーバ３０を示し、当該配信サーバ３０全体を統括的に制御するＣＰＵ３１に対し、バス３２を介してＲＯＭ３３、ＲＡＭ３４、記憶部３５及び通信部３６が接続されている。そして、ＣＰＵ３１がＲＯＭ３３に記憶された各種プログラムを読み出しＲＡＭ３４上で実行することにより種々の機能を実現する。
【００２５】
通信部３６は、図示しない公衆回線や基地局等を介してユーザ４のカーナビゲーション装置１０や、広告主３及び交通量調査業者５のサーバ（図示せず）と接続する。
【００２６】
記憶部３５は大容量のハードディスクドライブでなり、システム事業者２が開発したカーナビソフトが格納されている。このカーナビソフトに含まれる地図データ及び広告データは所定の更新間隔毎（例えば１ヶ月毎）に更新され、ＣＰＵ３１はこれらのデータが更新される度に、最新のカーナビソフトを通信部３６を介してユーザ４のカーナビゲーション装置１０に配信する。またＣＰＵ３１は、各ユーザ４のカーナビゲーション装置１０から送信された個人情報を集計して記憶部３５に記憶する。
【００２７】
（４）本発明による広告料金の設定
次に、本発明の特徴である交通量に応じた広告条件設定について説明する。図５はカーナビゲーション広告システム１における看板３００の設置例を示し、８つの看板３００Ａ〜３００Ｈが道路際に設置されている。看板３００の設置個所はシステム事業者２が決定するものであり、広告効果が高いと想定される場所に設置される。
【００２８】
例えば、看板３００Ａ〜３００Ｄは交通量の多い一般幹線道路に沿って設置されている。このうち看板３００Ｂは、この一般幹線道路において特に渋滞が多発する区間に設置されている。また看板３００Ｅは、高速道路へ乗り降りする車が集中するインターチェンジ近傍に設置されている。３００Ｆ、３００Ｇ及び３００Ｈは、行楽地（スキー場、ゴルフ場及び海水浴場）に通じる道路に沿って配置されている。また看板３００は、カーナビ画像１００において複数の看板３００が一度に表示されることによって広告効果が低下することが無いよう、適度な間隔をもって配置される。
【００２９】
交通量調査業者５はこれらの看板３００の設置個所における交通量を実際に調査し、調査結果を交通量情報としてシステム事業者２に提供する。この調査方法としては、人間がカウンタ等を用いて計測しても、道路近傍に設置した装置で自動測定してもかまわない。
【００３０】
一方ユーザ４は、カーナビゲーション広告システム１に参加してカーナビソフトの配信を受けるに先だち、システム事業者２によって要求される個人情報を、カーナビゲーション装置１０を介してシステム事業者に登録しておく。この個人情報は、個人の趣味嗜好と、通勤や通学あるいは日常の買い物等で良く利用する道路の情報でなる常用道路とで構成される。なお趣味嗜好は、上述の行楽地との関連を有するスポーツ等の選択アイテムがシステム事業者２から複数提示され、ユーザ４は提示された複数の選択アイテムの中から任意に選択するようになされている。
【００３１】
システム事業者２の配信サーバ３０は図６に示すように、カーナビソフトを更新する際、交通量調査業者５から取得した交通量情報と、各ユーザ４から取得した個人情報と、更新されたカーナビソフトがユーザ４に配信される時期の季節情報とに基づいて、各看板３００それぞれに対する広告料金を算出する。
【００３２】
この広告料金の算出基準は、
１）交通量情報に基づき、交通量の多い所に設置されている看板３００の広告料金を高く、交通量の少ない所に設置されている看板３００の広告料金を安くする（例えばインターチェンジ近傍の看板３００Ｅや渋滞多発区間近傍看板３００Ｂ等）
２）個人情報において常用道路としての指定が多い道路に設置されている看板３００の広告料金を高く、指定が少ない所に設置されている看板３００の広告料金を安くする
３）個人情報において指定の多い趣味嗜好に関連する行楽地への道路に設置されている看板３００の広告料金を高く、指定が少ない趣味嗜好に関連する行楽地への道路に設置されている看板３００の広告料金を安くする
４）季節情報に基づき、その季節との関連が深い行楽地（例えば冬ならばスキー場、夏ならば海水浴場）への道路に設置されている看板３００の広告料金を高く、関連が浅い行楽地への道路に設置されている看板３００の広告料金を安くする
というものである。
【００３３】
配信サーバ３０は、上述した４つの算出基準を用いて算出した各看板３００それぞれの広告料金を各広告主３に送信して提示し、各看板３００に対する広告依頼を求める。このとき配信サーバ３０は、上述した交通量情報及び個人情報を広告条件として広告料金とともに送信することにより、各看板３００についての広告効果の判断基準を各広告主３に提示する。
【００３４】
各広告主４は、各看板３００についての広告料金と広告条件とを勘案し、自社の広告が広告料金に見合う広告効果があると判断した看板３００に対して広告掲載を依頼する。  配信サーバ３０は、各広告主４から依頼された広告を集計して広告データを作成し、当該広告データと最新の地図データとを用いて作成したカーナビソフトを各ユーザ４のカーナビゲーション装置１０に配信する。
【００３５】
（５）配信サーバによるカーナビソフトの作成及び配信処理
次に、上述した配信サーバ３０が広告料金を算出してカーナビソフトを配信する手順を、図７に示すフローチャートを用いて詳細に説明する。
【００３６】
すなわち配信サーバ３０のＣＰＵ３１は、カーナビソフト作成配信処理手順ルーチンＲＴ１の開始ステップから入ってステップＳＰ１に移り、カーナビゲーション広告システム１に参加する各ユーザ４に対して個人情報の登録を要求し、当該要求に応じて各ユーザ４が登録した個人情報を集計して記憶部３５に記憶し、次のステップＳＰ２に移る。
【００３７】
ステップＳＰ２においてＣＰＵ３１は、交通量調査業者５に対して交通量情報を要求し、当該要求に応じて供給される最新の交通量情報を取得して記憶部３５に記憶し、次のステップＳＰ３に移る。
【００３８】
ステップＳＰ３において、広告料金設定手段としてのＣＰＵ３１は、交通量情報と集計した個人情報とを記憶部３５から読み出し、当該交通量情報及び個人情報並びに季節情報に基づき、上述した算出基準を用いて各看板３００それぞれに対する広告料金を算出し、次のステップＳＰ４に移る。
【００３９】
ステップＳＰ４においてＣＰＵ３１は、算出した広告料金及び広告条件を各広告主３に対して提示してステップＳＰ５に移り、当該提示に応じて各広告主３が依頼した広告を取りまとめて広告データを作成して次のステップＳＰ６に移る。
【００４０】
ステップＳＰ６において、配信データ生成手段としてのＣＰＵ３１は、広告データと最新の地図データとを用いてカーナビソフトを作成してステップＳＰ７に移る。ステップＳＰ７において、データ配信手段としてのＣＰＵ３１は、当該作成したカーナビソフトを各ユーザ４のカーナビゲーション装置１０に配信してステップＳＰ１に戻る。
【００４１】
そしてＣＰＵ３１は、カーナビソフトの更新間隔が到達すると再度ステップＳＰ１以降を実行して、個人情報の集計、交通量情報の取得、広告料金の算出、カーナビソフト作成及び配信を行う。
【００４２】
（６）動作及び効果
以上の構成において、システム事業者２の配信サーバ３０は、各ユーザ４が登録した個人情報をカーナビゲーション装置１０から取得して集計するとともに、交通量調査業者５から交通量情報を取得する。そして配信サーバ３０は、取得した個人情報及び交通量情報に基づいて、各看板３００それぞれに対してその広告効果を反映させた広告料金を設定する。
【００４３】
そして配信サーバ３０は、各看板３００の広告料金と、当該広告料金の算出根拠となった個人情報及び交通量情報（すなわち広告条件）とを各広告主３に提示する。これにより各広告主３は、提示された広告料金とその広告条件とに基づいて、広告料金に見合う広告効果があると思われる看板３００を選択して広告を依頼することができる。
【００４４】
さらにシステム事業者２は、このようにして依頼を受けた広告料金をカーナビソフトの開発費に充当することにより、各ユーザ４に対して当該カーナビソフトを安価もしくは無料で提供することができる。
【００４５】
以上の構成によれば、このカーナビゲーション広告システム１では、広告主３は広告効果の高い広告を行うことができ、システム事業者２は広告効果に応じた広告料金を得ることができる。
【００４６】
（７）他の実施の形態
なお上述の実施の形態においては、配信サーバ３０とカーナビ装置１０との間を通信部３６及び１９を介して接続してカーナビソフトを通信配信するようにしたが、本発明はこれに限らず、カーナビソフトをＣＤ−ＲＯＭやメモリカード等の記録媒体に格納し、当該記録媒体をユーザに送付することによりカーナビソフトを配信するようにしてもよい。この場合、配信の即時性は多少低下するものの、カーナビ装置１０から通信部１９を省略して当該カーナビ装置を簡略化することができる。
【００４７】
また上述の実施の形態においては、一つの看板３００に対して一つの広告を表示するようにしたが、本発明はこれに限らず、一つの看板３００に対して複数の広告を設定しておき、ユーザの個人情報に応じて複数の広告のうちの一つを選択して表示するようにしてもよい。
【００４８】
例えば、ある看板３００に対してスキーメーカー、ゴルフ道具メーカ、自動車メーカの３者がそれぞれ広告を依頼したとする。これに応じて広告データには、当該看板３００に対してスキーの広告、ゴルフ道具の広告及び自動車の広告が対応づけて記録される。
【００４９】
カーナビ装置１０のＣＰＵ１１は看板３００を表示する際、ユーザ４の個人情報を参照し、当該個人情報に記録された趣味嗜好に関連する広告を広告データから選択して看板３００に表示する。
【００５０】
例えば、ユーザ４が趣味嗜好として「スキー」を登録していた場合、ＣＰＵ１１はこれに直接関連するスキーの広告を選択して看板３００に表示する。また、ユーザ４が趣味嗜好として「スノーボード」を登録していた場合、ＣＰＵ１１はこれに比較的関連が深いスキーの広告を選択して看板３００に表示する。
【００５１】
同様に、ユーザ４が趣味嗜好として「自動車」や「オートバイ」を登録していたとすると、ＣＰＵ１１は、これに関連する自動車の広告を選択して看板３００に表示する。
【００５２】
これにより、システム事業者２は各看板３００に対して複数の広告を受け付けて広告収入を増加することができる。一方広告主３としては、依頼した広告に興味を持つユーザ４に対して集中的に広告を提示することができ、広告費用に対する広告効果を向上することができる。
【００５３】
さらに上述の実施の形態においては、看板３００に広告主３の広告を表示するようにしたが、本発明はこれに限らず、広告主３が営業する店舗等へ誘導するようなガイド広告を看板３００に表示するようにしてもよい。この場合でも、各看板３００に対して複数のガイド広告を受け付けておき、ユーザ４の趣味嗜好に関連するガイド広告を選択して表示すれば、店舗に興味を持つと思われるユーザ４を選択的に当該店舗に誘導することができる。
【産業上の利用可能性】
【００５４】
本発明は、地図ソフトに広告を付加して配信する種々の用途に適用できる。
【図面の簡単な説明】
【００５５】
【図１】カーナビゲーション広告システムの構成を示すブロック図である。
【図２】カーナビゲーション装置の構成を示すブロック図である。
【図３】カーナビ画像の一例を示す略船図である。
【図４】配信サーバの構成を示すブロック図である。
【図５】看板設置場所の説明に供する略線図である。
【図６】広告料金の算出の説明に供する略線図である。
【図７】カーナビソフト配信手順のフローチャートである。
【符号の説明】
【００５６】
１……カーナビゲーション広告システム、２……システム事業者、３……広告主、４……ユーザ、１０……カーナビ装置、１１……ＣＰＵ、１２……バス、１３……ＲＯＭ、１４……ＲＡＭ、１５……操作部、１６……表示部、１７……記憶部、１８……ＧＰＳ部、１９……通信部、２０……ＧＰＳアンテナ、２１……通信アンテナ、３０……配信サーバ、３１……ＣＰＵ、３２……バス、３３……ＲＯＭ、３４……ＲＡＭ、３５……記憶部、３６……通信部。
【図１】
2005301625.tif 000003
【図２】
2005301625.tif 000004
【図３】
2005301625.tif 000005
【図４】
2005301625.tif 000006
【図５】
2005301625.tif 000007
【図６】
2005301625.tif 000008
【図７】
2005301625.tif 000009